(57)【要約】【課題】遠心脱水タイプのコンベア式洗浄乾燥装置のコンベアラインにおいて、ライン短縮による省スペース、処理効率の向上、ライン施工作業の省力化を可能とする、遠心脱水装置を提供する。【解決手段】一基の架台１上に、コンテナ容器Ｃを左右両側部で支承して搬送する第一チェーンコンベア１１及び第二コンベア１２が配設され、第一コンベア１１の下流側搬送区間１１ｂと第二チェーンコンベア１２の上流側搬送区間１２ａとが重なって配置し、重なった搬送区間１０にコンテナ容器Ｃを上下複数段に積み重ねるプレスタッカー２が設置され、第二チェーンコンベア１２の下流側搬送区間１２ｂに積み重ねられた複数個のコンテナ容器Ｃを回転させる遠心脱水機３が設置されている。【選択図】図３
2019132541.tif 000002
【特許請求の範囲】
【請求項１】
コンテナ容器を順送りしつつ自動的に洗浄して回収するコンテナ洗浄ラインにおいて、洗浄後のコンテナ容器を水切り乾燥させる遠心脱水装置であって、
一基の架台上に、コンテナ容器を左右両側部で支承して搬送する第一チェーンコンベア及び第二コンベアが配設されると共に、第一コンベアの下流側搬送区間と第二チェーンコンベアの上流側搬送区間とが重なって配置し、
前記の第一及び第二チェーンコンベアが重なった搬送区間に、洗浄部から一個ずつ送られてくるコンテナ容器を上下複数段に積み重ねるプレスタッカーが設置され、その重なった搬送区間よりも下流側の第二チェーンコンベアによる搬送区間に、前記プレスタッカーにて積み重ねられた複数個のコンテナ容器を積重ね状態で回転させる遠心脱水機が設置されていることを特徴とする、コンテナ洗浄ライン用遠心脱水装置。
【請求項２】
前記遠心脱水機は、第二チェーンコンベアの両側チェーン間で昇降動作する持上げ台座と、該持上げ台座を昇降駆動させる昇降用シリンダと、該持上げ台座の上方に対設された回転駆動枠と、該回転駆動枠の回転駆動手段と、遠心脱水中に搬入口及び搬出口を遮蔽する開閉扉とを具備し、
前記持上げ台座は、前記昇降用シリンダの上方突出するピストンロッドの上端に回転自在に保持され、第二チェーンコンベアの搬送面より下位の待機位置と、載置した積重ね状態のコンテナ容器の上部側が前記回転駆動枠に係合する押上げ位置とに昇降変位可能であり、
前記回転駆動枠は、前記持上げ台座によって持ち上げられた積重ね状態のコンテナ容器に係合して、該コンテナ容器の回転時の位置ずれを防止する係合手段を備えてなる、請求項１に記載のコンテナ洗浄ライン用遠心脱水装置。
【請求項３】
コンテナ容器が平面視略矩形の飲料クレート又は食品クレートであり、前記遠心脱水機における回転駆動枠の係合手段が該コンテナ容器の各角部を両側から挟んで位置決めする突片対からなる請求項２に記載のコンテナ洗浄ライン用遠心脱水装置。
【請求項４】
前記プレスタッカーは、コンテナ容器の所要段数の積重ね操作が前記遠心脱水機による一回の遠心脱水中に完了するように設定されてなる、請求項１〜３のいずれかに記載のコンテナ洗浄ライン用遠心脱水装置。
【発明の詳細な説明】
【技術分野】
【０００１】
本発明は、コンテナ容器を順送りしつつ自動的に洗浄して回収するコンテナ洗浄ラインにおいて、洗浄後のコンテナ容器を水切り乾燥させる遠心脱水装置に関する。
【背景技術】
【０００２】
一般的に、飲料クレート、食品クレート、パック食材用トレー等の各種の小物品を収容して搬送するのに用いる浅い箱型のコンテナ容器は、ある程度の反復使用後もしくは使用した都度に回収し、汚れ除去及び滅菌のために洗浄・乾燥を施して再使用に供される。そのコンテナ容器の洗浄・乾燥を連続方式で自動的に行う装置として、遠心脱水タイプ及びブロワータイプのコンベア式洗浄乾燥装置が知られる。
【０００３】
これらコンベア式洗浄乾燥装置は、一般的に、コンベアライン上でコンテナ容器を順送りしつつ、そのライン上流側に設けた洗浄チャンバー内の洗浄部において洗浄液を噴射して洗浄し、次いでリンス部において水（通常は水道水）を噴射してコンテナ容器表面に付着した洗浄液を洗い流したのち、遠心脱水タイプではライン下流側に設けた遠心脱水機にかけて水切り乾燥し、またブロワータイプでは前記洗浄チャンバー内の後段側又はライン下流側に設けた乾燥室においてブロアより熱風を吹き付けて乾燥し、更に乾燥後のコンテナ容器をライン末尾側でスタッカーによって多段に積み重ねて集荷するようになっている。そして、特に遠心脱水タイプのコンベア式洗浄乾燥装置では、処理効率を高めるために、洗浄チャンバーと遠心脱水機との間のライン途中にプレスタッカーを配置し、該プレスタッカーにてコンテナ容器を複数段に積み重ねた状態で遠心脱水にかける方式や、遠心脱水前に乾燥部を通してコンテナ容器を加温することで、乾燥を促進させる方式も採用されている（非特許文献１）。
【先行技術文献】
【非特許文献】
【０００４】
【非特許文献１】インターネット・ウエブ・コンテナ洗浄機｜製品紹介｜業務用洗浄機の株式会社ショウワ、検索日：2017年12月18日、http//www.e-showa.net/product/container.html
【発明の概要】
【発明が解決しようとする課題】
【０００５】
しかしながら、従来のコンベア式洗浄乾燥装置では、各機能部の搬送路ならびに機能部間を繋ぐ搬送路として、チェーンコンベアやメッシュコンベア等からなる各々独立したコンベア架台を用い、これらコンベア架台を直列に配置して長いコンベアラインを構築するため、大きな設置スペースを要することが基本的な難点であり、また処理効率をより高めることも常に課題になっている。
【０００６】
本発明は、上述の事情に鑑みて、遠心脱水タイプのコンベア式洗浄乾燥装置のコンベアラインにおいて、洗浄後のコンテナ容器を遠心脱水前に複数段に積み重ねるプレスタッカーを介在させる場合に、該プレスタッカーと遠心脱水機とを一体化することにより、コンベアラインの短縮による省スペース、処理効率の向上、ライン施工作業の省力化を可能とする、コンテナ洗浄ライン用遠心脱水装置を提供することを目的としている。
【課題を解決するための手段】
【０００７】
上記目的を達成するための手段を図面の参照符号を付して示せば、請求項１の発明に係るコンテナ洗浄ライン用遠心脱水装置は、コンテナ容器Ｃを順送りしつつ自動的に洗浄して回収するコンテナ洗浄ラインＬにおいて、洗浄後のコンテナ容器Ｃを水切り乾燥させる遠心脱水装置であって、一基の架台１上に、コンテナ容器Ｃを左右両側部で支承して搬送する第一チェーンコンベア１１及び第二コンベア１２が配設されると共に、第一コンベア１１の下流側搬送区間１１ｂと第二チェーンコンベア１２の上流側搬送区間１２ａとが重なって配置し、第一及び第二チェーンコンベア１１，１２が重なった搬送区間１０に、洗浄部（洗浄装置ＷＡ）から一個ずつ送られてくるコンテナ容器Ｃを上下複数段に積み重ねるプレスタッカー２が設置され、その重なった搬送区間１０よりも下流側の第二チェーンコンベア１２による搬送区間（下流側搬送区間１２ｂ）に、プレスタッカー２にて積み重ねられた複数個のコンテナ容器Ｃを積重ね状態で回転させる遠心脱水機３が設置されていることを特徴としている。
【０００８】
請求項２の発明は、上記請求項１のコンテナ洗浄ライン用遠心脱水装置において、遠心脱水機３は、第二チェーンコンベア１２の両側チェーン間で昇降動作する持上げ台座３１と、該持上げ台座３１を昇降駆動させる昇降用シリンダ３２と、該持上げ台座３１の上方に対設された回転駆動枠３３と、該回転駆動枠３３の回転駆動手段（モーターＭ４）と、遠心脱水中に搬入口３０ａ及び搬出口３０ｂを遮蔽する開閉扉３４とを具備し、持上げ台座３１は、昇降用シリンダ３２の上方突出するピストンロッド３２ａの上端に回転自在に保持され、第二チェーンコンベア１２の搬送面より下位の待機位置と、載置した積重ね状態のコンテナ容器Ｃの上部側が回転駆動枠３３に係合する押上げ位置とに昇降変位可能であり、回転駆動枠３３は、持上げ台座３１によって持ち上げられた積重ね状態のコンテナ容器Ｃに係合して、該コンテナ容器Ｃの回転時の位置ずれを防止する係合手段（ずれ止めピン３５）を備えてなる構成としている。
【０００９】
請求項３の発明は、上記請求項１又は２のコンテナ洗浄ライン用遠心脱水装置において、コンテナ容器Ｃが平面視略矩形の飲料クレート又は食品クレートであり、遠心脱水機３における回転駆動枠３３の係合手段が該コンテナ容器Ｃの各角部を両側から挟んで位置決めする突片対（ずれ止めピン３５，３５）からなる構成としている。
【００１０】
請求項４の発明は、上記請求項１〜３のいずれかのコンテナ洗浄ライン用遠心脱水装置において、プレスタッカー２は、コンテナ容器Ｃの所要段数の積重ね操作が遠心脱水機３による一回の遠心脱水中に完了するように設定されてなる構成としている。
【発明の効果】
【００１１】
次に、本発明の効果について図面の参照符号を付して説明する。まず、請求項１の発明に係るコンテナ洗浄ライン用遠心脱水装置では、一基の架台１上にプレスタッカー２及び遠心脱水機３が設置されて一つのラインユニットを構成し、しかもライン上流側から順送りされてくるコンテナ容器Ｃをプレスタッカー２へ搬入する第一チェーンコンベア１１の下流側搬送区間１１ｂと、該プレスタッカー２にて積み重ねられたコンテナ容器Ｃを遠心脱水機３へ搬入する第二チェーンコンベア１２の上流側搬送区間１２ａとが重なって配置しているから、従来のようにプレスタッカー及び遠心脱水機と両者間を繋ぐ搬送路を各々独立したコンベア架台にて構成する場合に比較し、コンベア洗浄ラインＬが大幅に短縮されて省スペースになると共に、プレスタッカー２及び遠心脱水機３を設けた一基の架台１を一つのラインユニットとして取り扱えるので、コンテナ洗浄ラインＬを構築する際の施工作業性が大きく向上し、またプレスタッカー２にて積み重ねたコンテナ容器Ｃを直ちに水切り乾燥できるため、処理効率も向上する。
【００１２】
請求項２の発明によれば、遠心脱水機３において、第二チェーンコンベア１２にて搬入される積重ね状態のコンテナ容器Ｃを、搬送面より下位で待機している持上げ台座３１の上昇によって持ち上げ、上方に配置する回転駆動枠３３に係合させ、そのまま該回転駆動枠３３を回転駆動させることで、コンテナ容器Ｃ及び持上げ台座３１が一体に回転するから、非常に能率よく遠心脱水できる上、動作部分の全体を機能的にコンパクトに構成できるという利点がある。
【００１３】
請求項３の発明によれば、平面視略矩形の飲料クレート又は食品クレートを処理対象として、遠心脱水機３において確実に効率よく水切り乾燥を行える。
【００１４】
請求項４の発明によれば、プレスタッカー２におけるコンテナ容器Ｃの所要段数の積重ね操作が遠心脱水機３による一回の遠心脱水中に完了するから、より高い処理効率が得られる。
【図面の簡単な説明】
【００１５】
【図１】本発明の一実施形態に係る遠心脱水装置を組み入れたコンテナ洗浄ラインを示し、（ａ）は概略平面図、（ｂ）は概略側面図である。
【図２】同遠心脱水装置の上部側を除いて示す平面図である。
【図３】同遠心脱水装置の側面図である。
【図４】同遠心脱水装置におけるプレスタッカー部の縦断正面図である。
【図５】同遠心脱水装置における遠心脱水機の動作を示し、（ａ）は遠心脱水開始前の縦断正面図、（ｂ）は遠心脱水中の縦断正面図である。
【発明を実施するための形態】
【００１６】
以下に、本発明に係るコンテナ洗浄ライン用遠心脱水装置の実施形態について、図面を参照して具体的に説明する。
【００１７】
図１（ａ）（ｂ）は、本発明の遠心脱水装置を組み入れたコンテナ洗浄ラインＬを示す。このコンテナ洗浄ラインＬは、上流側から順次、搬入コンベア架台ＣＦ１、洗浄入口側コンベア架台ＣＦ２、洗浄装置ＷＡ、洗浄出口コンベア架台ＣＦ３、遠心脱水装置ＣＤ、スタッカー架台ＳＦが直線状に連続して配置し、更にスタッカー架台ＳＦの末尾側から直角に向きを変えて続く搬出コンベア架台ＣＦ４が配置して一連の搬送ラインを構成しており、上流側からコンテナ容器Ｃを順送りしつつ、洗浄装置ＷＡの処理チャンバー４内で洗浄・リンスしたのち、遠心脱水装置ＣＤのプレスタッカー２で上下複数段に積み重ねた上で、遠心脱水機３にて水切り乾燥し、スタッカー架台ＳＦのスタッカー５によって多数段に積み上げた状態とし、搬出コンベア架台ＣＦ４上に集荷するようになっている。
【００１８】
遠心脱水装置ＣＤは、図２及び図３に示すように、搬送方向に沿って長い形態の架台１の上部に第一〜第三チェーンコンベア１１〜１３が配設されているが、第一チェーンコンベア１１の下流側搬送区間１１ｂの外側に第二チェーンコンベア１２の上流側搬送区間１２ａが重なるように配置しており、その重なった搬送区間１０にプレスタッカー２が設置されると共に、第二チェーンコンベア１２の下流側搬送区間１２ｂに遠心脱水機３が設置されている。また、第三チェーンコンベア１３は第二チェーンコンベア１２の末端に続く形で配設されている。そして、第一〜第三チェーンコンベア１１〜１３よりなる一連の搬送路には、第一チェーンコンベア１１の中間位置及び末端位置、遠心脱水機３のチャンバー３０内における前部側及び後部側、第三チェーンコンベア１３の始端位置、にそれぞれ駆動シリンダー６１を介して搬送面に対して出退動作する左右一対の突片より構成されるストッパー６Ａ〜６Ｅが設置されている。なお、Ｍ１〜Ｍ３は第一〜第三チェーンコンベア１１〜１３の各々の駆動モータ、Ｐ１〜Ｐ３は第一〜第三チェーンコンベア１１〜１３の各々のプーリーである。
【００１９】
本実施形態で例示したコンテナ容器Ｃは、硬質合成樹脂成形物からなる上方に開放した矩形籠型の飲料クレートであり、図２〜図５に示すように、やや深い形態であって積み重ねで嵩高になるため、プレスタッカー２では上下２段に積み重ねるように設定している。すなわち、図では内外面の凹凸や周面及び底面の多数の孔等の細部形状を省略しているが、標準規格の該コンテナ容器Ｃは、上縁側外周に沿って突縁部ｅを有して外形サイズの大きい上部と、それよりも外形サイズが小さく且つ全体的に下方へ若干窄まった形態の下部とで構成されており、空状態で交互に向きを１８０°変えて積み重ねることで、上位側のコンテナ容器Ｃの下部が下位側のコンテナ容器Ｃ内に嵌入する形で、両コンテナ容器Ｃ，Ｃの上部同士が上下に重なった段積み形態なる。また、飲料製品を収容した状態で搬送や保管を行う場合は、上下のコンテナ容器Ｃ，Ｃの同じ向きで積み重ねることにより、収容製品に接触せずに浅く嵌合した段積み形態なる。そして、この空状態と製品収容状態との積み重ねの向きの混同を防止するために、コンテナ容器Ｃの長手方向の両半部が異なる色合いに設定されている。
【００２０】
プレスタッカー２は、図２〜図４に示すように、前記搬送区間１０を跨ぐ門形の支持架２０上に、昇降用シリンダー２１と左右一対のガイド筒２５が垂直に取り付けられ、該昇降用シリンダー２１より下方突出するピストンロッド２１ａの下端に昇降枠２２が固設され、該昇降用シリンダー２１の駆動によって昇降枠２２がガイド筒２５に挿通するガイドピン２５ａを介して昇降動作する。その昇降枠２２は、左右方向（搬送路横断方向）に沿う帯板２２ａと、該帯板２２ａの両端部下面側に固着した前後方向（搬送路方向）に沿うピン取付板２２ｂとで平面視略Ｈ形に構成され、各ピン取付板２２ｂの両端部内面側に、ピン出退シリンダー２３ａを介して内向きに出退動作する支持ピン２３が設けられている。図４中の符号２４は、搬送路の両側に沿って配設された断面Ｌ字形の搬送ガイドプレートであり、搬送されるコンテナ容器Ｃの左右方向の位置ずれを防止する。
【００２１】
遠心脱水機３は、図２，図３及び図５に示すように、開閉扉３４付きの搬入口３０ａ及び搬出口３０ｂを有する箱型のチャンバー３０内に、第二チェーンコンベア１２の両側チェーン間で昇降動作する円板状の持上げ台座３１と、該持上げ台座３１の上方に対設された矩形の回転駆動枠３３とを備えている。その持上げ台座３１は、架台１に設置した昇降用シリンダ３２の上方突出するピストンロッド３２ａの上端に、軸受３１ａを介して回転自在に保持されており、図３及び図５（ａ）で示すように第二チェーンコンベア１２の搬送面より僅かに下位となる待機位置と、図５（ｂ）で示すように載置した積重ね状態のコンテナ容器Ｃの上部側が回転駆動枠３３に係合する押上げ位置とに昇降変位する。一方、回転駆動枠３３は、チャンバー３０の天井部３０ｃに軸受３７ａを介して回転自在に貫通する回転駆動軸３７の下端に固着されており、その四隅部には各一対のずれ止めピン３５が垂設されている。そして、回転駆動軸３７は、その上端側に固着されたプーリー３７ｂ及びタイミングべルト３７ｃを介して、チャンバー３０上に設置した駆動モータＭ４の作動によって回転駆動する。また、搬入口３０ａ及び搬出口３０ｂの各開閉扉３４は、昇降用シリンダー３６より下方へ突出するピストンロッド３６ａの先端に固着されており、該昇降用シリンダー３６の作動によって上下に開閉動作する。
【００２２】
なお、図５（ａ）（ｂ）に示すように、チャンバー３０内の天井部３０ｃ側には、付着した水滴の流れを搬送路の両外側へ誘導する断面笠形の水滴誘導板３８が配設されると共に、第二チェーンコンベア１２の両外側には、搬送されるコンテナ容器Ｃの左右方向の位置ずれを防止する搬送ガイドプレート３９が配設されている。また、チャンバー３０の左右両側面には、横スライド式に開閉する点検用ガラス窓３０ｄが嵌装されている。
【００２３】
上記構成の遠心脱水装置ＣＤでは、洗浄装置ＷＡによる洗浄後のコンテナ容器Ｃが洗浄出口コンベア架台ＣＦ３を経て一つずつ順送りされてくるが、第一チェーンコンベア１１上に載った一番目のコンテナ容器Ｃがプレスタッカー２の直下位置に達した際、下流側のストッパー６Ｂが突出作動して該コンテナ容器Ｃを所定位置で停止させると共に、二番目のコンテナ容器Ｃも上流側のストッパー６Ａによってプレスタッカー２の手前で停止させられる。そして、上方で待機していた昇降枠２２が昇降用シリンダー２１の進出作動によって所定高さまで下降し、その下降位置で左右各一対の支持ピン２３が突出作動して停止中の一番目のコンテナ容器Ｃの突縁部ｅの下側に入り込み、次いで昇降用シリンダー２１の退入作動によって昇降枠２２が上昇して待機位置に戻ることで、一番目のコンテナ容器Ｃが突縁部ｅで支承されて持ち上げられると共に、手前位置で停止していた二番目のコンテナ容器Ｃが上流側のストッパー６Ａの退入作動に伴ってプレスタッカー２の直下位置まで搬送され、下流側のストッパー６Ｂによって停止する。これによって、図３及び図４に示すように、二番目のコンテナ容器Ｃの真上に一番目のコンテナ容器Ｃが配置した状態になるが、続いて昇降枠２２が下降することにより、持ち上げられていた一番目のコンテナ容器Ｃが下方で停止中の二番目のコンテナ容器Ｃ上に降ろされ、次いで支持ピン２３が退入作動して一番目のコンテナ容器Ｃから離脱したのち、昇降枠２２が再び上昇して待機位置に戻る。
【００２４】
かくして上下に積み重なった二つのコンテナ容器Ｃは、下流側のストッパー６Ｂの退入作動に伴って第二チェーンコンベア１２に載って遠心脱水機３のチャンバー３０内へ搬送され、該チャンバー３０内の前後のストッパー６Ｃ，６Ｄの突出作動により、図３及び図５（ａ）に示すように定位置で停止する。そして、この停止した二段重ねのコンテナ容器Ｃは、次いで下方に待機していた持上げ台座３１が昇降用シリンダ３２の進出作動で上昇することにより、第二チェーンコンベア１２上から該持上げ台座３１上に乗り移って持ち上げられ、図５（ｂ）に示すように上方の回転駆動枠３３に押し付けられると共に、その四つの角部に各々両側から一対のずれ止めピン３５が係合することで回転駆動枠３３に相対回転不能に係止される。次いで、駆動モータＭ４の作動によって回転駆動枠３３が高速回転し、該回転駆動枠３３に係合する二段重ねのコンテナ容器Ｃと持上げ台座３１が一体に回転することで、両コンテナ容器Ｃに付着していた水分が遠心脱水作用によって除去される。なお、チャンバー３０の搬入口３０ａ及び搬出口３０ｂは、遠心脱水中に開閉扉３４にて閉鎖され、遠心脱水の終了に伴って開放される。
【００２５】
所要時間の遠心脱水後、駆動モータＭ４の作動が停止すると共に、昇降用シリンダ３２の退入作動によって持上げ台座３１が下降し、これに伴って二段重ねのコンテナ容器Ｃが回転駆動枠３３から離脱し、次いで持上げ台座３１が下限の待機位置に戻ることで、両コンテナ容器Ｃは図３及び図５（ａ）の如く再び第二チェーンコンベア１２上に載る。そして、チャンバー３０内の両ストッパー６Ｃ，６Ｄと搬出口３０ｂの外側のストッパー６Ｅが退入作動し、遠心脱水後の両コンテナ容器Ｃは第二チェーンコンベア１２の駆動によって搬出口３０ｂから外側へ搬出され、続いてスタッカー架台ＳＦへ搬送され、図１（ｂ）で示すようにスタッカー５によって更に多数段に積み重ねられた上で、図１（ａ）で示す搬出コンベア架台ＣＦ４へ送られる。
【００２６】
しかして、この遠心脱水装置ＣＤにおいては、遠心脱水機３での遠心脱水中、プレスタッカー３では次の一番目と２番目のコンテナ容器Ｃの段積み操作が既述のように行われ、遠心脱水後の両コンテナ容器Ｃがチャンバー３０の搬出口３０ｂから搬出される際に、プレスタッカー３による段積み操作を経た二段重ねのコンテナ容器Ｃが同時にチャンバー３０内へ搬入されるように設定される。従って、遠心脱水機３での遠心脱水とプレスタッカー３での段積み操作が同時に並行して進行し、段積み後のコンテナ容器Ｃを直ちに水切り乾燥できるから、非常に高い処理効率を達成できる。
【００２７】
また、この遠心脱水装置ＣＤは、一基の架台１上にプレスタッカー２及び遠心脱水機３を備えたラインユニットを構成し、しかもコンテナ容器Ｃをプレスタッカー２へ搬入する第一チェーンコンベア１１の下流側搬送区間１１ｂと、該プレスタッカー２にて積み重ねたコンテナ容器Ｃを遠心脱水機３へ搬入する第二チェーンコンベア１２の上流側搬送区間１２ａとが重なって配置しているから、従来のようにプレスタッカー及び遠心脱水機と両者間を繋ぐ搬送路を各々独立したコンベア架台にて構成する場合に比較し、コンベア洗浄ラインＬが大幅に短縮されて省スペースになると共に、プレスタッカー２及び遠心脱水機３を設けた一基の架台１を一つのラインユニットとして取り扱えるので、コンテナ洗浄ラインＬを構築する際の施工作業性が大きく向上する。
【００２８】
なお、処理対象とするコンテナ容器Ｃは、実施形態ではやや深い形態の飲料クレートを例示しているが、例えば標準規格の食品クレートやパック食材用トレーのような浅い形態のものでもよい。これら浅い形態のコンテナ容器を処理対象とする場合、処理効率上からプレスタッカー２での積み重ねを３段以上の多段（通常は４〜５段）に設定することが推奨される。しかして、プレスタッカー２では、その積み重ねの段数に応じてコンテナ容器Ｃの持ち上げ及び嵌合を反復することになるが、昇降枠２２の支持ピン２５の如き係止部材について、適用するコンテナ容器の外周形状及び積み重ね高さに合わせて係止位置を設定すればよい。
【００２９】
また、本発明のコンテナ洗浄ライン用遠心脱水装置ＣＤにおけるプレスタッカー２としては、実施形態では支持ピン２５付きの昇降枠２２にてコンテナ容器Ｃを持ち上げて次位のコンテナ容器Ｃ上に降ろすことで積み重ねる方式を例示したが、これに限らず種々の積重ね方式を採用できる。例えば、通常のコンテナ容器用スタッカーで多用されているように、搬入されたコンテナ容器Ｃを搬送路の下位に待機させた昇降台座の上昇によって持ち上げ、その持上げた定位置で該コンテナ容器Ｃをクランプし、次に搬入されるコンテナ容器Ｃを同様に持ち上げて先のコンテナ容器Ｃに下側から重ねてクランプさせる形で、順次所要段数の積み重ねを行ったのち、その積み重ね状態のコンテナ容器Ｃを昇降台座で支承してクランプ解除し、該昇降台座の下降によって搬送路上に降ろす方式としてもよい。
【００３０】
一方、遠心脱水機３は、実施形態で例示したものに限らず、積み重ねたコンテナ容器Ｃのクランプ機構や昇降機構について種々の方式を採用できる。そのクランプ機構としては、実施形態ではコンテナ容器Ｃの各角部を両側から挟み付ける一対のずれ止めピン３５を例示しているが、ピン形以外の種々の形状の突片対を採用できる他、様々な駆動方式による可動式係合手段やバネ式係合手段も採用可能である。そして、実施形態のように、積み重ねたコンテナ容器Ｃを搬送面より下位で待機している持上げ台座３１の上昇によって持ち上げ、上方に配置する回転駆動枠３３に係合させ、そのまま該回転駆動枠３３を回転駆動させる方式によれば、非常に能率よく遠心脱水できる上、動作部分の全体を機能的にコンパクトに構成できるという利点がある。
【００３１】
その他、本発明の遠心脱水装置ＣＤにおいては、遠心脱水機３での回転駆動機構、搬入口３０ａ及び搬出口３０ｂの開閉機構、架台１の形態、搬送路の各所要位置でコンテナ容器Ｃを停止させるためのストッパー機構等、細部構成については実施形態以外に種々設計変更可能である。
【符号の説明】
【００３２】
１      架台
１０    重なった搬送区間
１１    第一チェーンコンベア
１１ｂ  下流側搬送区間
１２    第二チェーンコンベア
１２ａ  上流側搬送区間
１２ｂ  下流側搬送区間
２      プレスタッカー
３      遠心脱水機
３０ａ  搬入口
３０ｂ  搬出口
３１    持ち上げ台座
３２    昇降用シリンダ
３２ａ  ピストンロッド
３３    回転駆動枠
３４    開閉扉
３５    ずれ止めピン（係合手段、突片対）
Ｃ      コンテナ容器
ＣＤ    遠心脱水装置
Ｌ      コンテナ洗浄ライン
Ｍ４    モーター（回転駆動手）
【図１】
2019132541.tif 000003
【図２】
2019132541.tif 000004
【図３】
2019132541.tif 000005
【図４】
2019132541.tif 000006
【図５】
2019132541.tif 000007